(57)【要約】本発明は、電気通信網によって情報を匿名で送信する方法に関する。送信機（１）と情報の受信機（４）との間の第１交換局（２）が、情報の送信機（１）のＩＤ（ＭＳＩＳＤＮ）を第１別名ＩＤ（ＣＩＤ）と交換する。このＩＤ（ＭＳＩＳＤＮ）と第１別名ＩＤ（ＣＩＤ）との間の変換は、永久に又は少なくとも数週間保証される。受信機（４）又は別の交換局（３）では、第１別名ＩＤ（ＣＩＤ）が、第２別名ＩＤ（ＣＭＩＤ）と交換される。この第２別名ＩＤ（ＣＭＩＤ）は、受信機に送信機を身元確認させることを可能にする。
2005507227.tif 000002
【特許請求の範囲】
【請求項１】
情報を電気通信網によって伝送するため、情報の送信機（１）のＩＤ（ＭＳＩＳＤＮ）が、送信機（１）と受信機（４）との間の少なくとも１つの交換局（２；３）内の少なくとも１つの別名ＩＤ（ＣＩＤ；ＣＭＩＤ）によって交換される方法において、このＩＤ（ＭＳＩＳＤＮ）とこの別名ＩＤ（ＣＩＤ；ＣＭＩＤ）との間の変換が、連続する情報間の平均的な間隔と比べて長い期間に対して保証されること、及び、
受信された別名ＩＤとこの受信機（４）に対して十分に付与されたＩＤ（Ｃ）との間の変換が、この受信機によって既知であることを特徴とする方法。
【請求項２】
この受信された別名ＩＤ（ＣＩＤ；ＣＭＩＤ）とこの付与されたＩＤ（Ｃ）との間のこの変換は、登録過程の間に確定されることを特徴とする請求項１に記載の方法。
【請求項３】
送信機（１）が受信機（４）と送信機（１）との間で両立しうる秘密（ＴＴ）を有する登録情報（１０５）を受信機（４）に送信することによって、受信された別名ＩＤ（ＣＩＤ；ＣＭＩＤ）と付与されたＩＤ（Ｃ）との間の変換が確定されることを特徴とする請求項２に記載の方法。
【請求項４】
秘密（ＴＴ）は、匿名化された伝送経路（１０４）を経由して送信機（１）と受信機との間で送信されることを特徴とする請求項３に記載の方法。
【請求項５】
少なくとも１つの別名ＩＤ（ＣＩＤ）は、別の交換局（３）に対して匿名であることを特徴とする請求項１〜４のいずれか１項に記載の方法。
【請求項６】
情報の送信機（１）のＩＤ（ＭＳＩＳＤＮ）は、送信機（１）と受信機（４）との間の第１交換局（２；３）内で別名ＩＤ（ＣＩＤ；ＣＭＩＤ）と交換され、
第１別名ＩＤ（ＣＩＤ）は、第１交換局（２）と受信機（４）との間の第２交換局（３）内で第２別名ＩＤ（ＣＭＩＤ）と交換されることを特徴とする請求項１〜５のいずれか１項に記載の方法。
【請求項７】
秘密（ＴＴ）は、第２交換局（３）によって生成されることを特徴とする請求項３〜６のいずれか１項に記載の方法。
【請求項８】
登録情報は、秘密（ＴＴ）に基づいて交換局（３）から受信機（４）に送信されることを特徴とする請求項７に記載の方法。
【請求項９】
秘密（ＴＴ）は、限定された有効期間を有することを特徴とする請求項３〜８のいずれか１項に記載の方法。
【請求項１０】
送信機（１）は、移動無線電話であり、この移動無線電話では、ＩＤカード内のＩＤ（ＭＳＩＳＤＮ）が移動無線電話内に記憶されていることを特徴とする請求項１〜９のいずれか１項に記載の方法。
【請求項１１】
情報は、ＵＳＳＤ情報であり、このＵＳＳＤ情報は，ＵＳＳＤサーバを経由して交換局（２）に送信されることを特徴とする請求項１０に記載の方法。
【請求項１２】
情報は、ＳＭＳであり、このＳＭＳは、ＳＭＳサーバを経由して交換局（２）に送信されることを特徴とする請求項１０に記載の方法。
【請求項１３】
情報は、ＩＳＤＮ網内のＳＳ７による信号情報であることを特徴とする請求項１０に記載の方法。
【請求項１４】
少なくとも１つの交換局（２）は、移動無線通信網のオペレータによって監視され、送信機の移動無線電話は、このオペレータによって登録されていることを特徴とする請求項１０〜１３のいずれか１項に記載の方法。。
【請求項１５】
送信機（１）の現在地が、送信時又は交換局（２；３）中に突き止められ、情報中に複写されることを特徴とする請求項１〜１４のいずれか１項に記載の方法。
【請求項１６】
市場での売買が、別の交換局（３）内で匿名化された情報に基づいて統計分析されることを特徴とする請求項６〜１５のいずれか１項に記載の方法。
【請求項１７】
受信機（４，５，６）は、サービス提供者，製品提供者又は金融提供者であることを特徴とする請求項１〜１６のいずれか１項に記載の方法。
【請求項１８】
受信機（４）は、サービス，製品又は金融サービスを受信機（４）と送信機（１）との間の直接な経路を経由して供給できることを特徴とする請求項１６に記載の方法。
【請求項１９】
情報の受信機（４）が、多数の送信機（１）から少なくとも１つの交換局（２）によって特定の送信機（１）に永久に結合された別名ＩＤ（ＣＩＤ，ＣＮＩＤ）を見つけ出すことのできる方法において、以下のステップ：
秘密（ＴＴ）は、登録過程の間に受信機と送信機（１）との間で取り決められ、
送信機（１）が、登録情報を送信し、
この秘密（ＴＴ）は、この登録情報中に含まれていて、
受信機が、この登録情報を受信し、別名ＩＤ（ＣＩＤ，ＣＭＩＤ）をこの送信機（１）と結合させ、この結合部分を記憶することを特徴とする方法。
【請求項２０】
秘密（ＴＴ）は、限定された有効期間を有することを特徴とする請求項１９に記載の方法。
【請求項２１】
コンピュータプロダクトが、デジタル計算システムの内部記憶器内にロードされ得、この計算システムを稼動させるプログラムが、この記憶器内に記憶されているコンピュータプロダクトにおいて、このプログラムが実行される時に、請求項１〜１９のいずれか１項に記載の方法を実行するコンピュータプロダクト。
【請求項２２】
多数の送信機（１）と少なくとも１つの受信機（４）との間の情報の送信を可能にするシステムにおいて、
送信機（１）のＩＤと受信機（４）によって送信機（１）を連想させる別名ＩＤ（ＣＭＩＤ）との間の変換が、交換局（２；３）内で記憶されることを特徴とするシステム。
【請求項２３】
送信機（１）のＩＤと匿名の別名ＩＤとの間の変換が、第１交換機（２）内に記憶され、この別名ＩＤ（ＣＩＤ）と受信機（４）によって送信機（１）を連想させる別名ＩＤ（ＣＭＩＤ）との間の変換が、別の交換局（３）内に記憶される請求項２２に記載のシステム。
【請求項２４】
送信機（１）は、移動無線電話であり、第１交換局（２）は、移動無線通信網のオペレータによって管理される情報サーバであることを特徴とする請求項２３に記載のシステム。
【発明の詳細な説明】
【技術分野】
【０００１】
本発明は、電気通信網によって情報、特に問合せを伝送する方法とシステムに関する。
【背景技術】
【０００２】
送信機と受信機との間の情報が、電気通信網内で多くの場合に１つ又は多数の交換局を通じて送られる。このことは、移動無線電話のユーザのサービス提供者に対する問合せを含む情報の場合である。多数の問合せが、秘密情報、例えばＩＤ及びユーザの現在地を含む。これらの情報は、問合せに応答するために受信機によって必要とされる。この場合、送信機と受信機との間の様々な交換局のオペレータ（経営者）が、これらのオペレータに対して規定されていない秘密情報にアクセスできる。例えばこれらのオペレータが、ユーザの詳細な通信プロフィールを作成することができる。このことは、一方では技術の受け入れに対して望ましくなく、さらにデータ保護の法律上憂慮すべきである。
【０００３】
情報を送信機から受信機まで暗号化し、これによってこれらの情報を交換局のオペレータに対して秘密にするための方法が公知である。多くの場合、このような方法は暗号化技術に基づく。これらの暗号化技術は、送信機端末内で常に処理不可能であるスループットを必要とする。さらに、全ての情報が暗号化されている場合、情報を交換局内に転送することが多くの場合に著しく困難である。
【０００４】
さらに場合によっては、情報の暗号化は必要でもなく望ましくもない。例えば、交換局のオペレータが異なる送信機の問合せを統計学的に分析することが既に公知である。例えば、多数のユーザが、特定の国又は特定の広告に対する反応から突き止められ得る。これに対して個人の送信機プロフィール又は受信機プロフィールが保管されないか又は既知でない場合、送信機も受信機も使用することができない。
【０００５】
さらに、情報を匿名にするための方法が公知である。この場合、全てのユーザＩＤが第１交換局内で一時的な別名ＩＤに交換される；この情報は、その他の交換局と受信機とに対して匿名であるものの読み取り可能である。
【０００６】
しかしながら、受信機によって開かれたサービスが送信機のＩＤに依存する場合、このような匿名化過程は適さない。多くのサービス提供者が、例えば個別の割引又は付値を信頼できる顧客に対して提供する。これらの顧客は、匿名過程で提供され得ない。さらにサービス提供者は、ユーザプロフィールデータバンクを管理する。例えば顧客の好ましい支払方法や通信文が、このユーザプロフィールデータバンク内に記憶されている。
【発明の開示】
【発明が解決しようとする課題】
【０００７】
本発明の課題は、情報が移動無線通信網内の送信機と受信機との間で特定の交換局に対してだけ匿名に保持されるものの、情報の受信機に対しては匿名に保持されない方法及びシステムを提供することにある。
【課題を解決するための手段】
【０００８】
この課題は、本発明により、特に独立請求項に記載の構成によって解決される。さらにその他の実施形は、従属請求項及び詳細な説明に記載されている。
【０００９】
特にこの課題は、情報の送信機のＩＤが送信機と受信機との間の交換局内で別名ＩＤと交換されること、ＩＤと別名ＩＤとの間の変換(Abbildung) が、連続する情報間の平均的な間隔と比較して長い期間（例えば数週間）に対して保証されること、及び、この別名ＩＤとこの受信機に対して十分に付与されたこの受信機のＩＤ（特徴）との間の変換が既知であることによって解決される。
【００１０】
この受信機に対して十分に付与されたＩＤは、例えば受信機がこのＩＤによって、例えば送信機の名前と送信機のアドレスによって送信機を身元確認できるＩＤである。しかしこのＩＤは、完全な身元確認をしないＩＤでもよい、例えば受信機がクレジットカードの番号を導き出せる業務の目的に対して十分であるＩＤでもよい。十分に付与されたＩＤは、例えば受信機が使用する顧客番号から構成してもよい。
【００１１】
このことには、情報が特定の交換局に対して匿名に転送されるものの、使用された別名ＩＤと送信機との間の変換が受信機で再構築されるという利点がある。
【００１２】
もう１つの利点は、受信機だけが送信機との取引上のつながりの特性に対して責任がある点である。交換局のオペレータが、業務に関して取り決めた取引条件を必要としない；オペレータは、情報の仲介者としてだけ行動し、金銭上のパートナーとして行動しない。
【００１３】
本発明は、別名ＩＤが匿名であるときだけ使用できるのではなくて、送信機に対して理解できないか又は使用困難であるときにも使用できる。
【００１４】
本発明によれば、送信機が受信機によってこの送信機を連想させる秘密を有する登録情報を受信機に送信することによって、この変換が登録過程の間に確定される。
【００１５】
このことには、別名ＩＤと対応する送信機との間の変換が一回確定するだけで済み、かつその他の全ての情報に対して使用されるという利点がある。
【００１６】
第１交換局によって使用された別名ＩＤと特定の送信機のＩＤとの間の変換が登録過程後に受信機で確定された後に、この受信機はこの送信機の各々のさらなる情報を認識できる。
【００１７】
情報が、特別な構文を有する可能な各情報と特定の受信機との間の交換局内の既知の変換に基づいて特定の受信機に転送される。
【００１８】
以下に、本発明の構成を事例に基づいて説明する。この構成の例を以下の添付図面によって示す。
【発明を実施するための最良の形態】
【００１９】
図１中では、符号１は、送信機、例えば移動無線電話又は電気通信網の端子を有するＰＤＡ（パーソナルデジタルアシスタンス）に関する。電気通信網は、特に移動無線、例えばＧＳＭ(Global System for Mobile Communication)，ＧＰＲＳ(General Packet System) ，ＨＳＣＳＤ(High Speed Circuit Switched System)又はＵＭＴＳ電話(Universal Mobile Telecommunication System) でもよい。したがって移動無線電話は、特にＩＤカード（図示せず）、例えばＳＩＭカード(Subscriber Identity Module)を自由に処理できる。ユーザＩＤデータが、このＳＩＭカード内に記憶されている。
【００２０】
符号４は、送信機１の情報の受信機に関する。この受信機は、特に計算システム、例えばウェブホスト又はＷａｐホストから構成され、特にサービス提供者  （製品又は情報の供給者）によって管理される。しかしその他のサービス提供者、例えば郵便局５，金融機関６，保険会社，政府機関等を設けてもよい。例えば銀行やクレジットカードの発行者が、金融機関６の例として考慮の対象となり得る。
問合せＬが移動電話のキーボード上でキー入力されるか又は自動的に入力され、情報２０１にパックされ、受信機４に送信されることによって、送信機１が受信機４と入れ替ってサービスを依頼する。メニューが呼出される必要なしに、情報２０１は、特にＵＳＳＤ(Unstructured Supplementary Service Data) 情報として伝送され、これによって移動無線電話のキーボード上で直接入力される。ＵＳＳＤ情報には、ＵＳＳＤ情報が無料で遅延なしに伝送されるという利点がある。ＵＳＳＤ情報は、サービスコード、例えば１４１及びサービス番号、例えば123456を有する。サービス番号、例えばラベル、この例ではラベル１２３が、特に予め規定した一連の番号から成る。これらの番号は、業務用に外部の受信機４によって記録されている。この一連の番号中に含まれていないサービス番号は、その他の交換局３又はその他のサービス用に規定されている。全ての情報が特別な構文を有し、特定の受信機に転送すること又は変換テーブルを可能な各情報と可能な受信機４との間で確定することも可能である。
【００２１】
特別なサービスに対するＵＳＳＤ問合せＬの例は、例えば
* 141 * 123456#
である。
【００２２】
例えば、この問合せＬが、広告媒体上になんらかの方法で表示されることによって、例えばパンフレット上に又はカタログ，新聞雑誌の新聞広告，テレビコマーシャル，インターネットサイト，ファックス，外部宣伝等中に表示されることによって若しくは支払業務の場合は請求書上に表示されることによって、特定のサービスにアクセスするために入力必要なこの問合せＬは、公知のいろいろな方法で受信機によって実行され得る。問合せをデータとしてデジタルデータストリーム中で（例えば、画像又は音声を伴うデータとしてマルチメディアプログラム中で）表示することも可能である。この問合せＬは、手動で又は自動で（例えば、スキャナ又はバーコード読取器で）移動無線電話によって検出され得る。
【００２３】
ＵＳＳＤ情報に関する以外では、情報２０１が、本発明の範囲内で例えばＳＭＳ(Short Message System)として、パケット接続された通信網内のデータパケットとして又はＩＳＤＮ通信網内のＳＳ７信号化情報として送信され得る。
【００２４】
情報２０１は、第１交換局２によって送信される。この第１交換局２は、移動無線電話１が使用されている移動無線通信網と受信コンピュータが接続されている通信網（例えば、インターネット）との間のインターフェースとして使用される。第１交換局２は、特にＵＳＳＤサーバから構成される。このＵＳＳＤサーバは、移動無線電話１が使用されている移動無線通信網のオペレータ（特に移動無線電話１のＳＩＭカードを配分したオペレータ）によって管理される。そしてこのＵＳＳＤサーバは、受信した全ての情報を特定のサービスコード１４１（例えば、１４１）と共に予め規定した別の交換局３に転送する。ＳＭＳ情報又はその他の情報が、ＵＳＳＤ情報の代わりに又はＵＳＳＤ情報に加えて使用される場合、第１交換局２は、ＳＭＳサーバ又はその他の適切なインターフェースから構成できる。
【００２５】
ユーザに固有のデータ、例えば郵便アドレス，送り状のアドレス又は電子アドレスが、第１交換局２内に記憶され、ＵＳＳＤ情報，ＳＭＳ，ＷＡＰ又は適切なＷＥＢサイトを通じて移動無線電話のユーザ１によって管理される。適切な帰還チャネル経由でサービス提供者４の応答を送信機１に送信できるようにするため、これらのデータが使用され得る。
【００２６】
第１交換局２には、情報２０１をその他のデータ、例えば時間や送信機の現在地のステートメントで補充する可能性が選択的に存在する。
【００２７】
少なくとも１つの交換局３が、第１交換局２と受信機４との間に論理的に存在する。その他の交換局３は、特にプラットフォーム（例えば、電子マーケットプレイス）から構成される。いろいろな受信機４，５，６用に規定された情報が、このプラットフォームによって送信される。しかし特定のサービスがこの別の交換局３から直接提供されてもよい。この別の交換局３は、受信した情報２０３のラベル（例えば、１２３）を予め規定したリストと比較し、リスト上に存在するラベルを有する情報を問合せＬ中のサービス番号（例えば、123456）に基づいて番号ＭＩＤによって身元確認された該当する受信機４に転送する。特にこの交換局３は、（例えば、マーケティングの目的で）転送された情報に関する統計も送信する。統計結果が、該当するサービス提供者４に定期的に送信されるか又は特に保護されたインターネットサイト上でこのサービス提供者４によって問い合わせられ得る。
【００２８】
当業者は、第１交換局２及び第２交換局３が組み合わされ、それ自体のオペレータによって管理され得ることを理解する。
【００２９】
受信機４は、情報２０５を受信するか又はこの情報２０５を別の交換局３から入手し、含まれている問合わせを処理する。この受信機４は、同一経路で交換局３，２を経由して別の方向で応答を送信機１に送信する。この場合、ユーザに固有のデータが、第１交換局２内で使用され得る。この応答は、例えば追加情報，電子入場券，ユーザ選択の確認書，競売参加を問い合わせる送信機１に送信するために使用され得る。この応答は、特に別の交換局３内の匿名の送信機のプロフィールに依存しうる；この送信機は、その個別のプロフィールを特別な情報又はウェブサイトによって適合できる。例えば好ましい言語，使用される移動無線電話１，好ましい応答経路等が、このプロフィール中で表示され得る。
【００３０】
送信機１の情報２０１が別の交換局３に対して匿名であることが望ましい。これは、この情報が秘密情報又はデータ保護に重要な情報、例えば送信機の現在地を含む場合である。一方では、多くの潜在的なユーザ１は、信用できない機関によって監視される交換局３がこれらのユーザ１の全ての移動及び注文情報に関して通知されていることがほとんど受諾できない。他方では、交換局３のオペレータが多数の移動無線電話の加入者１のこのような情報を自由に処理できる場合に、このオペレータは、データ保護の法律上、憂慮すべき状況にある。
【００３１】
この問題を解決するため、送信機の全てのＩＤが、特に第１交換局２内で情報２０１から除去され、別名ＩＤであるＣＩＤと交換される（ステップ２０２）。ＧＳＭ移動無線電話からの情報２０１の場合、例えばＭＳＩＳＤＮ（移動無線電話加入者ＩＤ番号）が、交換局２内で別名ＩＤであるＣＩＤと交換される。ＭＳＩＳＤＮとＣＩＤとの間の変換は、永久的に保証されているか又は少なくとも数週間若しくは連続する情報間の間隔と比べて非常に長い期間保証される。ＩＤであるＭＳＩＳＤＮが秘密の電子鍵によって暗号化されることによって、この変換は、テーブル内に記憶され得るか又は特に動的に検出され得る。しかし、第１交換局２のオペレータだけが、この変換又は鍵を知っている。通常の場合、送信機１が使用されているこの交換局は、移動無線通信網のオペレータによって管理される。したがって契約上の関係が、送信機１とこのオペレータとの間に存在する。その結果、大多数のユーザは、これらのユーザの情報がこの管理者に対して匿名であることが必要であると思わない。これは、特に情報２０１がこのオペレータに対して特定されていなく、このオペレータに対して多くの場合に理解できないからである。
【００３２】
交換局２が移動無線通信網のオペレータによって管理される場合、電話番号の番号付けも、例えば電話番号のプラン交換時に又は加入者の加入申込み後に可能である。この場合、古いＭＳＩＳＤＮと別名ＩＤであるＣＩＤとの間の変換が、新しいＭＳＩＳＤＮとこの別名ＩＤとの間の変換と交換され得る。
【００３３】
したがって別の交換局３は、匿名の情報２０３だけを受信する。この別の交換局３は、この匿名の情報２０３を特定の送信機１に返すことができない。しかしこの別の交換局３は、異なる送信機１の情報２０３に基づいて統計分析を実行する。
【００３４】
受信機４が対応する情報（図示せず）を別の交換機３に送信することによって、この受信機４は、匿名の送信機の特定の情報２０５に対して応答する。別名ＩＤが、この別の交換局３内に含まれている。この応答は、この別の交換局３から第１交換局２に転送される。この第１交換局２は、別名ＩＤを送信機１のＩＤ（例えば、ＭＳＩＳＤＮ）と再び交換し、これによってこの応答が、送信機１に転送され得る。
【００３５】
送信機１の情報２０１が別の交換局２に対してだけ匿名であるものの、受信機４に対しては匿名でないことが、多くの場合に望ましい。このことは、特に開かれたサービス若しくはこのサービスの価格条件が送信機のＩＤに依存する場合、又は応答がそれ自体の帰還経路と交換局３，２を経由して送信され得ない場合  （例えば、製品が郵便で供給する必要がある場合）である。多くの場合、サービス提供者４も、サービス提供者に固有の顧客データバンクを有する。顧客プロフィールが、この顧客データバンク内に記憶される。この顧客プロフィールは、例えばどの送信機１がどの条件で利益を得るか、及び顧客は何をより好むかを決定できる。多くの場合、サービス提供者４及び送信機１は、その他の情報が処理されるように説明した匿名の経路と交換局２，３を経由して送信される情報を希望する。多くの場合、受信機４だけが送信機１に対する業務上の特性の責任を負うことも望まれる。
【００３６】
第１交換局２によって使用される別名ＩＤであるＣＩＤが、別の交換局３内で別のＩＤであるＣＭＩＤか又は受信機４にとって送信機１を身元確認するのに十分なＩＤと交換されることによって（ステップ２０４）、この課題は本発明にしたがって達成される。第１別名ＣＩＤに対応する別のＩＤであるＣＭＩＤは、特にＭＩＤによって身元確認された受信機４に依存する。後で分かるように、受信機４だけが対応するＣＭＩＤを有する送信機１を連想できる；この新しい別名ＩＤであるＣＭＩＤは、交換局３に対して第１別名ＩＤであるＣＩＤと全く同様に匿名である。
【００３７】
したがって、受信機４は、情報２０５を受信する。問合せＬ及びこの問合せＬに理解できる別名ＩＤであるＣＭＩＤが、この情報２０５内に含まれている。受信機４は、この受信機４に対する情報Ｃ、例えば顧客番号をこの別名ＩＤであるＣＭＩＤから導き出せる。したがって、受信機４が情報を交換局２，３経由で送信するか又は直接送信機１に送信することによって、この受信機４は、希望のサービスを提供できる（ステップ２０６）。この受信機４は、情報の以外にその他のサービス又は製品さえも異なる帰還経路を経由して送信機１に送信できる。
【００３８】
次いで、別の交換局３なしに受信機のＩＤを通知することなしに、第１別名ＩＤであるＣＩＤと受信機によって理解できる別の別名ＩＤであるＣＭＩＤとの間の変換を確定するため、どのようにして送信機１が別の交換局３で登録されるかを説明する。
【００３９】
新規の顧客１を登録できるようにするため、最初に受信機４が秘密ＴＴを別の交換局３から要求する（矢印１０１）。この秘密ＴＴは、例えば番号や英数字列でもよい。この番号や英数字列は、例えば乱数発生器によって別の交換局３内で生成され、一時的に記憶されそして送信機４に送信される（矢印１０３）。この秘密ＴＴは、受信機４によって限定された期間の間記憶され、直接の経路、例えばＳＭＳを経由して、郵便で、口頭で、窓口で等で通知される。この伝送は、秘密とみなされ得る。この別の交換局は、秘密ＴＴとサービス提供者番号ＭＩＤによって身元確認された受信機４との間の変換を記憶する（矢印１０２）。
【００４０】
この発明の範囲内では、一義的な秘密が、受信機４又は送信機１によっても生成され得、別の交換局３に対して匿名に保持され得る。
【００４１】
登録のため、送信機１が、登録情報１０５を第１交換局２に送信する。登録情報１０５は、特にその他の情報のように、例えばＵＳＳＤ情報，ＳＭＳ信号データ又はＳＳ７信号データとして送信される。受信機によって取り決めた秘密ＴＴは、情報１０５中に含まれている。
【００４２】
第１交換局２は、その他の全ての情報のように登録情報１０５を処理し、送信機のＩＤデータＭＳＩＳＤＮを第１別名ＩＤであるＣＩＤ（ステップ１０６）と交換する。別名ＩＤがこのＭＳＩＳＤＮに一致しない場合、新しい変換が生成され永久に記憶される。このＭＳＩＳＤＮは、この送信機のその他の全ての情報において同じ別名ＩＤと交換される。
【００４３】
次いで、適合された登録情報１０７が、別の交換局３に転送される。この装置は、秘密ＴＴを認識し、この情報が受信機ＭＩＤに転送される必要があることを分かっている（矢印１０９）。別の交換局３の秘密ＴＴ未知の場合、この登録情報は、この受信機のＩＤであるＭＩＤを有する。秘密ＴＴは、別の交換局３が受信機４の認識を可能にする特性を有する。例えばテーブルが、交換局３内に存在してもよい。各秘密と異なる受信機４との間の変換が、この交換局３内に記憶されている。別形態としては、予め規定した一連の秘密が、特定の受信機に関連され得る。
【００４４】
次いで、交換局３が、第１別名ＩＤであるＣＩＤを受信機ＭＩＤに依存する  新たに生成された別名ＩＤであるＣＭＩＤと交換される（矢印１０８）。この変換は記憶される。その結果、別名ＩＤであるＣＩＤが、その後の全ての情報において同じＣＭＩＤと交換される。この別の交換局３は、テーブルも記憶する。別名ＩＤであるＣＭＩＤに基づいて認識された送信機１の今後の全ての情報が受信機ＣＩＤに送信される必要があることが、このテーブル内で表示される。
【００４５】
次いで、新しい別名ＩＤであるＣＭＩＤと秘密ＴＴを有する登録情報１０９が、受信機４に転送される。秘密ＴＴがまだ有効であり、受信した登録情報１０９が、ユーザ番号Ｃによって身元確認された送信機１から送信されたことが分かっている場合、この受信機は、秘密ＴＴを認識する。したがってこの受信機は、そのユーザ番号Ｃと第２交換局３によって使用された別名ＩＤであるＣＭＩＤとの間の変換を認識し記憶する。同じ別名ＩＤが、受信機４に対するこの送信機１のその後の全ての情報において使用されるので、この別名ＩＤは、その後の匿名化された情報の出所も認識できる。
【００４６】
第１別名ＩＤであるＣＩＤが秘密でない場合、この第１別名情報ＣＩＤを別の交換局３内で交換すること、及びこの第１別名ＩＤであるＣＩＤを有する情報２０５，１０９を受信機４に転送することも本発明の別形態で可能である。この別形態では、別名ＩＤが受信機４で初めてＩＤであるＣによって交換される。このＩＤであるＣは、受信機４に対する送信機１に十分に印をつける。
【図面の簡単な説明】
【００４７】
【図１】図１は、データ流れ図を示す。この流れ図内では、情報の伝送の間の可能な方法ステップが図式的に示される。
【図２】図２は、もう１つのデータ流れ図を示す。この流れ図内では、登録過程時の可能な方法ステップが図式的に示される。
【符号の説明】
【００４８】
１  送信機
２  交換局
３  交換局
４  受信機
５  受信機
６  受信機
ＣＩＤ  別名ＩＤ
ＣＭＩＤ  別名ＩＤ
ＴＴ  秘密
ＭＳＩＳＤＮ  ＩＤ
【国際公開パンフレット】
2005507227.tif 000003
2005507227.tif 000004
2005507227.tif 000005
2005507227.tif 000006
2005507227.tif 000007
2005507227.tif 000008
2005507227.tif 000009
2005507227.tif 000010
2005507227.tif 000011
2005507227.tif 000012
2005507227.tif 000013
2005507227.tif 000014
2005507227.tif 000015
2005507227.tif 000016
2005507227.tif 000017
2005507227.tif 000018
2005507227.tif 000019
2005507227.tif 000020
2005507227.tif 000021
2005507227.tif 000022
2005507227.tif 000023
2005507227.tif 000024
【手続補正書】
【提出日】平成15年4月26日(2003.4.26)
【手続補正１】
【補正対象書類名】特許請求の範囲
【補正対象項目名】全文
【補正方法】変更
【補正の内容】
【特許請求の範囲】
【請求項１】
情報を電気通信網によって伝送するため、情報の送信機（１）のＩＤ（ＭＳＩＳＤＮ）が、送信機（１）と受信機（４）との間の少なくとも１つの交換局（２；３）内の少なくとも１つの別名ＩＤ（ＣＩＤ；ＣＭＩＤ）によって交換される方法において、このＩＤ（ＭＳＩＳＤＮ）とこの別名ＩＤ（ＣＩＤ；ＣＭＩＤ）との間の変換が、連続する情報間の平均的な間隔と比べて長い期間に対して保証されること、
受信された別名ＩＤとこの受信機（４）に対して十分に付与されたＩＤ（Ｃ）との間の変換が、この受信機によって既知であること、及び、
この受信された別名ＩＤ（ＣＩＤ；ＣＭＩＤ）とこの付与されたＩＤ（Ｃ）との間のこの変換は、登録過程の間に確定されることを特徴とする方法。
【請求項２】
送信機（１）が受信機（４）と送信機（１）との間で両立しうる秘密（ＴＴ）を有する登録情報（１０５）を受信機（４）に送信することによって、受信された別名ＩＤ（ＣＩＤ；ＣＭＩＤ）と付与されたＩＤ（Ｃ）との間の変換が確定されることを特徴とする請求項１に記載の方法。
【請求項３】
秘密（ＴＴ）は、匿名化された伝送経路（１０４）を経由して送信機（１）と受信機との間で送信されることを特徴とする請求項２に記載の方法。
【請求項４】
少なくとも１つの別名ＩＤ（ＣＩＤ）は、別の交換局（３）に対して匿名であることを特徴とする請求項１〜３のいずれか１項に記載の方法。
【請求項５】
情報の送信機（１）のＩＤ（ＭＳＩＳＤＮ）は、送信機（１）と受信機（４）との間の第１交換局（２；３）内で別名ＩＤ（ＣＩＤ；ＣＭＩＤ）と交換され、
第１別名ＩＤ（ＣＩＤ）は、第１交換局（２）と受信機（４）との間の第２交換局（３）内で第２別名ＩＤ（ＣＭＩＤ）と交換されることを特徴とする請求項１〜４のいずれか１項に記載の方法。
【請求項６】
秘密（ＴＴ）は、第２交換局（３）によって生成されることを特徴とする請求項２〜５のいずれか１項に記載の方法。
【請求項７】
登録情報は、秘密（ＴＴ）に基づいて交換局（３）から受信機（４）に送信されることを特徴とする請求項６に記載の方法。
【請求項８】
秘密（ＴＴ）は、限定された有効期間を有することを特徴とする請求項２〜７のいずれか１項に記載の方法。
【請求項９】
送信機（１）は、移動無線電話であり、この移動無線電話では、ＩＤカード内のＩＤ（ＭＳＩＳＤＮ）が移動無線電話内に記憶されていることを特徴とする請求項１〜８のいずれか１項に記載の方法。
【請求項１０】
情報は、ＵＳＳＤ情報であり、このＵＳＳＤ情報は，ＵＳＳＤサーバを経由して交換局（２）に送信されることを特徴とする請求項９に記載の方法。
【請求項１１】
情報は、ＳＭＳであり、このＳＭＳは、ＳＭＳサーバを経由して交換局（２）に送信されることを特徴とする請求項９に記載の方法。
【請求項１２】
情報は、ＩＳＤＮ網内のＳＳ７による信号情報であることを特徴とする請求項９に記載の方法。
【請求項１３】
少なくとも１つの交換局（２）は、移動無線通信網のオペレータによって監視され、送信機の移動無線電話は、このオペレータによって登録されていることを特徴とする請求項９〜１２のいずれか１項に記載の方法。。
【請求項１４】
送信機（１）の現在地が、送信時又は交換局（２；３）中に突き止められ、情報中に複写されることを特徴とする請求項１〜１３のいずれか１項に記載の方法。
【請求項１５】
市場での売買が、別の交換局（３）内で匿名化された情報に基づいて統計分析されることを特徴とする請求項５〜１４のいずれか１項に記載の方法。
【請求項１６】
受信機（４，５，６）は、サービス提供者，製品提供者又は金融提供者であることを特徴とする請求項１〜１５のいずれか１項に記載の方法。
【請求項１７】
受信機（４）は、サービス，製品又は金融サービスを受信機（４）と送信機（１）との間の直接な経路を経由して供給できることを特徴とする請求項１５に記載の方法。
【請求項１８】
情報の受信機（４）が、多数の送信機（１）から少なくとも１つの交換局（２）によって特定の送信機（１）に永久に結合された別名ＩＤ（ＣＩＤ，ＣＮＩＤ）を見つけ出すことのできる方法において、以下のステップ：
秘密（ＴＴ）は、登録過程の間に受信機と送信機（１）との間で取り決められ、
送信機（１）が、登録情報を送信し、
この秘密（ＴＴ）は、この登録情報中に含まれていて、
受信機が、この登録情報を受信し、別名ＩＤ（ＣＩＤ，ＣＭＩＤ）をこの送信機（１）と結合させ、この結合部分を記憶することを特徴とする方法。
【請求項１９】
秘密（ＴＴ）は、限定された有効期間を有することを特徴とする請求項１８に記載の方法。
【請求項２０】
コンピュータプロダクトが、デジタル計算システムの内部記憶器内にロードされ得、この計算システムを稼動させるプログラムが、この記憶器内に記憶されているコンピュータプロダクトにおいて、このプログラムが実行される時に、請求項１〜１９のいずれか１項に記載の方法を実行するコンピュータプロダクト。
【請求項２１】
多数の送信機（１）と少なくとも１つの受信機（４）との間の情報の送信を可能にするシステムにおいて、
送信機（１）のＩＤと受信機（４）によって送信機（１）を連想させる別名ＩＤ（ＣＭＩＤ）との間の変換が、交換局（２；３）内で記憶されることを特徴とするシステム。
【請求項２２】
送信機（１）のＩＤと匿名の別名ＩＤとの間の変換が、第１交換機（２）内に記憶され、この別名ＩＤ（ＣＩＤ）と受信機（４）によって送信機（１）を連想させる別名ＩＤ（ＣＭＩＤ）との間の変換が、別の交換局（３）内に記憶される請求項２１に記載のシステム。
【請求項２３】
送信機（１）は、移動無線電話であり、第１交換局（２）は、移動無線通信網のオペレータによって管理される情報サーバであることを特徴とする請求項２２に記載のシステム。
【国際調査報告】
2005507227.tif 000025
2005507227.tif 000026
2005507227.tif 000027
2005507227.tif 000028
2005507227.tif 000029
2005507227.tif 000030